(57)【要約】【課題】この発明は、建物の解体作業や農林作業・造園作業又最近では産業廃棄物の選別作業に使用されている、建設機械の代表的機会である油圧ショベルに使用される油圧ショベル用多目的つかみ機を提供する。【解決手段】つかみ上部体（１）とつかみ下部体（２）をリンクさせる為に一対の支持プレートつかみ上部体Ａ（４）・支持プレートつかみ下部体Ｂ（５），及び一対の支持プレートリンク部Ａ（６）・支持プレートリンク部Ｂ（７）を併設定着し、アーム先端ピン（１５）の中心より下方にメインリンクピン（８）穴を設け、メインリンクピン（８）穴の下方には連結棒（３）の一端辺を組付ける為のピン穴を形設した一対の支持プレートつかみ下部体Ａ（９）・支持プレートつかみ下部体Ｂ（１０）を併設定着し、アーム（１８）の中程に支持プレートアーム下面Ａ（１２）・支持プレートアーム下面Ｂ（１３）を併設定着する事を特徴とする。【選択図】    図３
2004190469.tif 000002
【特許請求の範囲】
【請求項１】
油圧ショベルに使用されている標準バケットとバケット機能を有し形状を変えたバケットをつかみ上部体（１）とし、取り付け部は現行のまま又は類似した形状の一対の支持プレートつかみ上部体Ａ（４）・支持プレートつかみ上部体Ｂ（５）とつかみ下部体（２）をリンクさせる為のメインリンクピン（８）穴を形設した一対の支持プレートリンク部Ａ（６）・支持プレートリンク部Ｂ（７）を併設定着し、そのメインリンクピン（８）穴の中心位置は、つかみ上部体（１）の油圧ショベルへの組付けピンであるアーム先端ピン（１５）の中心より下方に位置し、リンクするつかみ下部体（２）はつかみ上部体（１）との間で物体をつかめる形状とリンク部の形状はつかみ上部体（１）とのメインリンクピン（８）穴と下方には支点となる連結棒（３）の一端辺を組付けるためのピン穴を形設した一対の支持プレートつかみ下部体Ａ（９）・支持プレートつかみ下部体Ｂ（１０）を併設定着し、油圧ショベルのアーム（１８）下面の中程に連結棒（３）の一端辺を組付ける為のピン穴を形設した支持プレートアーム下面Ａ（１２）・支持プレートアーム下面Ｂ（１３）を併設定着し、つかみ上部体（１）を油圧ショベルに組付けそのつかみ上部体（１）つかみ下部体（２）を貫通抜け止めを設けたメインリンクピン（８）で組付け、下方のピンＡ（１１）穴は、連結棒（３）の一端辺に貫通抜け止めを設けたピンＡ（１１）を組付け、他端辺はアーム（１８）下面に設けられたピン内部にピン貫通抜け止めを設けたピンＢ（１４）で組みつけて形成されたつかみ動作機構からなる油圧ショベル用多目的つかみ機。
【発明の詳細な説明】
【０００１】
【発明の属する技術分野】
この発明は建物の解体作業や、農林作業・造園作業、又最近では産業廃棄物の選別作業等に使用されている、建設機械の代表的機械である油圧ショベルに使用されるアタッチメントに関するものである。
【０００２】
【従来の技術】
従来より使用されている油圧ショベルのつかみ機はフォーク状のものが多く、つかめる物体は比較的大きな物体が対象で、小さい物体はバケットにより作業が行なわれており、つかみ機アッセンブリーとバケットを交換し別作業を行なう事も多くこの時の交換作業に要する負担が大変であった。このアタッチメントの交換に関してはいろいろな方法（特許文献１及び特許文献２参照）が考えられているが簡単に脱着交換出来るようなつかみ機はなかった。
【０００３】
【特許文献１】
公開番号：特許公開平８−４０４３、公開日：１９９６年１月９日
出願人：株式会社松本製作所、発明者：松本大次郎、発明の名称：パワーショベルカー用アタッチメント
【０００４】
【特許文献２】
公開番号：実用新案公開平５−６９２４８、公開日：１９９３年９月２１日
出願人：株式会社松本製作所、考案者：松本大次郎、考案の名称：油圧ショベルカーのアームに取り付ける挟持解体装置
【０００５】
【発明が解決しようとする課題】
つかみ機とバケットの交換作業を容易にすることをつかみ上部体とつかみ下部体の形状を変えることによって為すものである。
【０００６】
【課題を解決するための手段】
油圧ショベルに使用されている標準バケットとバケット機能を有し形状を変えたバケットをつかみ上部体（１）とする。取り付け部は現行のまま又は類似した形状の一対の支持プレートつかみ上部体Ａ（４）・支持プレートつかみ上部体Ｂ（５）とつかみ下部体（２）をリンクさせる為のメインリンクピン穴（８）を形設した一対の支持プレートリンク部Ａ（６）・支持プレートリンク部Ｂ（７）を併設定着させる。そのメインリンクピン（８）穴の中心位置は、つかみ上部体（１）の油圧ショベルへの組付けピンであるアーム先端ピン（１５）の中心より下方に位置し、リンクするつかみ下部体（２）はつかみ上部体（１）との間で物体をつかめる形状とし、リンク部の形状はつかみ上部体（１）とのメインリンクピン（８）穴と下方には支点となる連結棒（３）の一端辺を組付けるためのピン穴を形設した一対の支持プレートつかみ下部体Ａ（９）・支持プレートつかみ下部体Ｂ（１０）を併設定着させる。油圧ショベルのアーム（１８）下面の中程に連結棒（３）の一端辺を組付ける為のピン穴を形設した支持プレートアーム下面Ａ（１２）・支持プレートアーム下面Ｂ（１３）を併設定着させる。つかみ上部体（１）を油圧ショベルに組付けそのつかみ上部体（１）つかみ下部体（２）を貫通抜け止めを設けたメインリンクピン（８）で組付け、下方のピンＡ（１１）穴は、連結棒（３）の一端辺に貫通抜け止めを設けたピンＡ（１１）を組付け、他端辺はアーム（１８）下面に設けられたピン内部にピン貫通抜け止めを設けたピンＢ（１４）で組みつけて形成されたつかみ動作機構を設ける。本発明は以上の構成からなる油圧ショベル用多目的つかみ機である。
【０００７】
【発明の実施の形態】
以下本発明の実施の形態について図面に基づいて説明する。
図１は一般的な油圧ショベルの作業機のアーム先端の斜視図である。図２は多目的つかみ機を組付けるためバケットを外したアーム先端の斜視図である。図３は多目的つかみ機を油圧ショベルに組付け全開時のアーム先端の側面図である。図４は同じく全閉時のアーム先端の側面図である。図５は一般に使用されているバケットの斜視図である。図６はバケット機能を持った変形バケットのつかみ上部体の斜視図である。図７はつかみ下部体のバケット形状の斜視図である。図８はつかみ下部体のフォーク形状の斜視図である。
【０００８】
本発明は油圧ショベルのアタッチメントで、図２に示すようにバケットを外した状態に組付けて使用する油圧ショベル用多目的つかみ機である。主になるつかみ上部体（１）は、図５に示す現行の標準バケットや図６に示すバケット機能を有し形状を変えたバケットで、油圧ショベルへの取り付け部の形状は現行のままか又は類似のものでよい。つかみ下部体（２）とリンクする一対の支持プレートリンク部Ａ（６）・支持プレートリンク部Ｂ（７）はメインリンクピン（８）穴を形設しており、そのピン穴の中心はアーム先端ピン（１５）の中心より下方に位置するように油圧ショベルへの組付け部支持プレートつかみ上部体Ａ（４）・支持プレートつかみ上部体Ｂ（５）の両外側に付設するかあるいは、支持プレートつかみ上部体Ａ（４）・支持プレートつかみ上部体Ｂ（５）の先端部に突設する。
【０００９】
つかみ下部体（２）の形状は作業効率を高める為に、図７に示すようにバケット形状と図８に示すフォーク形状とを使い分けし、リンク部の形状はメインリンクピン（８）穴を上方にして下方に支点となる連結棒（３）を組付けるピンＡ（１１）穴を形設した一対の支持プレートつかみ下部体Ａ（９）・支持ブレートつかみ下部体Ｂ（１０）を併設した形状にする。
【００１０】
油圧ショベルのアーム下面の中程につかみ下部体（２）よりの連結棒（３）を組付ける為のピンＢ（１４）穴を形設した一対の支持プレートアーム下面Ａ（１２）・支持プレートアーム下面Ｂ（１３）を併設する。
【００１１】
つかみ上部体（１）を油圧ショベルに組付け、つかみ下部体（２）をつかみ上部体（１）と貫通抜け止めをしたメインリンクピン（８）をリンクさせる。つかみ下部体（２）の下方ピンＡ（１１）穴に連結棒（３）の一端辺を貫通抜け止めをしたピンＡ（１１）を組付け、他端辺をアーム下面の支持プレートアーム下面Ａ（１２）・支持プレートアーム下面Ｂ（１３）に貫通抜け止めをしたピンＢ（１４）を組付け、つかみ機としての一連の動作が可能な機構が形成される。
【００１２】
一連のつかみ動作は、まず油圧シリンダ（１７）のシリンダロット（２１）が伸縮するとバケットリンク（１９）を介しバケットピン（１６）に作用し、つかみ上部体（１）はアーム先端ピン（１５）を支点に回動すると共にアーム先端ピン（１５）の下方に位置するメインリンクピン（８）はアーム先端ピン（１５）を支点に回動し、そのメインリンクピン（８）とリンクしているつかみ下部体（２）は、下方のピンＡ（１１）が連結棒（３）により保持されている為ピンＡ（１１）を支点として回動する事になり、つかみ上部体（１）・つかみ下部体（２）は開閉し、つかみ作業が可能となる。
【００１３】
【発明の効果】
本発明を使用することによって、上記のような構成からつかみ機アッセンブリーを交換する事なくピンＢ（１４）とメインリンクピン（８）を取り外すだけでつかみ下部体（２）関連部品が外れ、つかみ上部体（１）がバケットとして使用可能となり、作業機の交換に要する手間と時間が大幅に軽減される事になった。つかみ下部体（２）の脱着が簡単になれば現状に合わせた形状に逐次替えることも可能になり作業効率も格段に向上する。
【図面の簡単な説明】
【図１】一般的な油圧ショベルの作業機械部分の斜視図
【図２】油圧ショベルのアーム部の斜視図で本発明はこれに多目的つかみ機を取り付ける。
【図３】本発明を使用した全開時の側面図
【図４】本発明を使用した全閉時の側面図
【図５】一般的な油圧ショベルのバケットの斜視図
【図６】一般的な油圧ショベルで図５とは異なるバケットの斜視図
【図７】一般的な油圧ショベルの多目的つかみ機の下部体でバケット形状の斜視図
【図８】一般的な油圧ショベルの多目的つかみ機の下部体でフォーク形状の斜視図
【図９】つかみ上部体に変形したバケットを使いつかみ下部体にフォーク形状を使用した本発明を使用時の主要部品の構成図
【図１０】本発明使用時のつかみ上部体とつかみ下部体のリンク状態時の正面図
【図１１】本発明の使用例を示す物体をつかんだ時の側面図
【図１２】本発明の使用例を示す下部体の側面図
【図１３】本発明の使用例を示す下部体を外しバケット作業時の側面図
【符号の説明】
（１）      つかみ上部体
（２）      つかみ下部体
（３）      連結棒
（４）      支持プレートつかみ上部体Ａ
（５）      支持プレートつかみ上部体Ｂ
（６）      支持プレートリンク部Ａ
（７）      支持プレートリンク部Ｂ
（８）      メインリンクピン
（９）      支持プレートつかみ下部体Ａ
（１０）    支持プレートつかみ下部体Ｂ
（１１）    ピンＡ
（１２）    支持プレートアーム下面Ａ
（１３）    支持プレートアーム下面Ｂ
（１４）    ピンＢ
（１５）    アーム先端ピン
（１６）    バケットリンクピン
（１７）    油圧シリンダ
（１８）    アーム
（１９）    バケットリンク
（２０）    リンク
（２１）    シリンダロット
【図１】
2004190469.tif 000003
【図２】
2004190469.tif 000004
【図３】
2004190469.tif 000005
【図４】
2004190469.tif 000006
【図５】
2004190469.tif 000007
【図６】
2004190469.tif 000008
【図７】
2004190469.tif 000009
【図８】
2004190469.tif 000010
【図９】
2004190469.tif 000011
【図１０】
2004190469.tif 000012
【図１１】
2004190469.tif 000013
【図１２】
2004190469.tif 000014
【図１３】
2004190469.tif 000015